(57)【要約】【課題】木製の枠部材の外面にこれを覆う金属製のカバー部材が連結部材を介して取付けられた建造物の複合枠部において、枠部材とカバー部材の熱伸縮差を吸収し、カバー部材の取付け作業性および取付け安定性も良好にすること。【解決手段】カバー部材３０の内面には長手方向全長に、室内側に向けて開口する断面円形Ｃ字状の係合溝３１を形成する。連結部材４０は、枠部材２０の外周角部に重合する断面ほぼＬ字形に形成し、基端縁４１を断面円形の丸棒状に形成し、基端縁４１を係合溝３１に挿通して、カバー部材３０に対して長手方向に相対移動可能、かつ揺動可能に取付ける。カバー部材３０の内面および枠部材２０の外面には対向位置に互いにカバー部材３０の幅方向に嵌合する嵌合手段５１，５２を設け、連結部材４０を枠部材２０の外周角部に重合せしめて締結し、嵌合手段５１，５２を嵌合せしめる。【選択図】        図２
2007032001.tif 000002
【特許請求の範囲】
【請求項１】
ガラス戸等のドア類の外周または該ドア類を組付ける建造物外壁の開口部まわりに取付ける枠部材であって、木製の枠部材の外面にこれを覆う金属製のカバー部材を連結部材を介して取付けてなる建造物の複合枠部構造において、
上記カバー部材の内面には長手方向全長に、室内側に向けて開口する断面円形Ｃ字状の係合溝を形成し、
上記連結部材は、上記枠部材の外周角部に重合する断面ほぼＬ字形に形成するとともに、基端縁を断面円形の丸棒状に形成し、
上記基端縁を上記係合溝に挿通して上記連結部材を上記カバー部材に対して長手方向に相対移動可能、かつ揺動可能に取付け、
上記カバー部材の内面および上記枠部材の外面には対向位置に互いに上記カバー部材の幅方向に嵌合する嵌合手段を設け、
上記連結部材を上記枠部材の外周角部に重合せしめるとともに上記嵌合手段を嵌合せしめ、上記連結部材を上記枠部材に締結してなる建造物の複合枠部構造。
【請求項２】
上記嵌合手段を、上記カバー部材と一体で、該カバー部材の内面から上記枠部材に向けて突出する突起部と、上記枠部材の外面に設けて上記突起部を受けてこれと嵌合する受け部とで構成した請求項１に記載の建造物の複合枠部構造。
【請求項３】
上記連結部材を金属材または合成樹脂材のいずれかで構成した請求項１または２のいずれかに記載のに建造物の複合枠部構造。
【発明の詳細な説明】
【技術分野】
【０００１】
本発明は、木製の枠部材と、その外面を被覆する金属製のカバー部材とからなる建造物の複合枠部構造に関する。
【背景技術】
【０００２】
ガラス戸等のドア類の外周や、ドア類を組付ける建造物外壁の開口部まわりに設ける枠部を、木製の枠部材の外面にこれを被覆する金属製のカバー部座を取付けて複合構造としたものがある。室内側の枠部材を木製とすることで木質基調の室内の壁や家具と調和させることができ、カバー部材を金属製とすることで、木製の枠部材が外気や風雨等にさらされて腐食するのを防止することができる。
【０００３】
しかしながら、この種の複合枠部構造において一つの問題は、金属製のカバー部材を木製の枠部材にネジ締め等により固定すると、金属材と木材との熱伸縮差から木製の枠部材に破損が生ずるおそれがある。
【０００４】
そこで、例えば下記特許文献１に記載の複合枠部構造では、金属製のカバー部材の内面には多数の鉤部材を設ける一方、木製の枠部材の外面には可撓性を有する多数の係止部材を設け、上記鉤部材と係合部材とを係合せしめる構造とされている。これによれば、可撓性を有する係止部材の変形で、カバー部材と枠部材との熱伸縮差が吸収される。
【特許文献１】特開２００１−３４９１４３号公報
【発明の開示】
【発明が解決しようとする課題】
【０００５】
しかしながら、特許文献１の構造におけるカバー部材側の鉤部材と枠部材側の可撓性を有する係合部材との係合では、係合力が不十分でカバー部材の取付け安定性が良好とはいえず、両部材にはずれが生じるおそれがある。
【０００６】
そこで本発明は、木製の枠部材と金属製のカバー部材との熱伸縮差を吸収することができ、枠部材へのカバー部材の取付け作業性も良好であり、カバー部材の取付け安定性も確保される建造物の複合枠部構造を提供することを課題としてなされたものである。
【課題を解決するための手段】
【０００７】
上記課題を解決するための請求項１の発明は、ガラス戸等のドア類の外周または該ドア類を組付ける建造物外壁の開口部まわりに取付ける枠部材であって、木製の枠部材の外面にこれを覆う金属製のカバー部材を連結部材を介して取付けてなる建造物の複合枠部構造において、上記カバー部材の内面には長手方向全長に、室内側に向けて開口する断面円形Ｃ字状の係合溝を形成する。上記連結部材は、上記枠部材の外周角部に重合する断面ほぼＬ字形に形成するとともに、基端縁を断面円形の丸棒状に形成し、上記基端縁を上記係合溝に挿通して上記連結部材を上記カバー部材に対して長手方向に相対移動可能、かつ揺動可能に取付ける。上記カバー部材の内面および上記枠部材の外面には対向位置に互いに上記カバー部材の幅方向に嵌合する嵌合手段を設け、上記連結部材を上記枠部材の外周角部に重合せしめるとともに上記嵌合手段を嵌合せしめ、上記連結部材を上記枠部材に締結せしめる。
【０００８】
木製の枠部材と金属製のカバー部材との熱伸縮差は特にこれらの長手方向に顕著に現れるが、カバー部材は連結部材を介して枠部材に対して長手方向に移動可能であり、かつカバー部材側および枠部材側の嵌合手段は両者の幅方向に嵌合しているのであるからカバー部材は枠部材に対して長手方向には相対移動可能であり、これにより両部材の熱伸縮差は吸収され得る。また連結部材はカバー部材に対して揺動可能であるから、枠部材の角部に容易に重ね合わせることができ、カバー部材の取付け作業性がよい。また連結部材の枠部材への締結と、嵌合手段による嵌合と相まって、カバー部材の取付け安定性は良好である。
【０００９】
請求項２の発明は、上記連結部材を金属材または合成樹脂材のいずれかで構成する。
【００１０】
連結部材としては金属材の外、合成樹脂材を用いることができる。合成樹脂材は、外気温や日射の影響を受けやすい金属製のカバー部材と、室内側の枠部材との間を断熱する断熱材として作用する。
【００１１】
請求項３の発明は、上記嵌合手段を、上記カバー部材と一体で、該カバー部材の内面から上記枠部材に向けて突出する突起部と、上記枠部材の外面に設けて上記突起部を受けてこれと嵌合する受け部とで構成する。
【００１２】
嵌合手段は、連結手段により枠部材に支持されたカバー部材が連結部材に対して回動して倒れるのを防止し、連結部材と相まってカバー部材を安定にする。
【発明の効果】
【００１３】
本発明の建造物の複合枠部構造によれば、木製の枠部材と金属製のカバー部材との熱伸縮差の吸収性、および枠部材へのカバー部材の取付け作業性を良好であり、かつカバー部材の取付け安定性も確保することができる。
【発明を実施するための最良の形態】
【００１４】
図面に基づいて、建造物の引き違いのガラス戸の外周を構成する複合枠部に本発明を適用した実施形態を説明する。図１は引き違いのガラス戸全体の縦断面図で、ガラス戸は、室外側のガラス戸１Ａと室内側のガラス戸１Ｂからなり、両ガラス戸１Ａ，１Ｂは、建造物の開口部の上縁および下縁に設けてられたレール６０，６１に沿ってスライド移動して上記開口部を開閉する。両ガラス戸１Ａ，１Ｂはほぼ同一縦断面構造で、室外側のガラス戸１Ａを中心に説明する。
【００１５】
ガラス戸１Ａは、上下の横枠部材２０，２１と、両横枠部材２０，２１の左右両端間を縦方向に架設した図略の左右の縦枠部材とを四角形に枠組みしてあり、枠部内に二重構造のガラス板７０が嵌め込んである。ガラス戸１Ａは、上端の横枠部材２０の上面の溝内に組付けた図略の摺動部材と上記溝の両縁に設けたシール材８１を上記開口部の上縁のレール６０に摺動自在に係合するとともに、下端の横枠部材２１の下面の溝内に組付けた図略の戸車を上記開口部の下縁のレール６１に転動自在に係合してある。
【００１６】
ガラス戸１Ａの上下の横枠部材２０，２１および上記左右の縦枠部材は、木製の角材の室外面を金属製のカバー部材３０で被覆した複合枠部構造としてあり、図２に示す上端の横枠部材２０の要部縦断面図に基づいて横枠部材２０とカバー部材３０の連結構造を説明する。
【００１７】
カバー部材３０は横枠部材２０の外面に沿って延びるアルミニウムの板状の長尺押出成形品で、全長にわたって同一断面形状をなす。カバー部材３０は、上下の幅が横枠部材２０のよりも大きく、上縁および下縁にはそれぞれ室内側かつ内面側へ折り返した折返フランジが形成してある。カバー部材３０の内面には上縁寄りの位置に横枠部材２０の外面に嵌合せしめる嵌合手段たる突起部５１が一体に形成してある。突起部５１はカバー部材３０の長手方向に沿って上下に一対設けてある。対をなす突起部５１の先端にはそれぞれ、互いに対向方向へ突出する嵌合爪５１１が形成してある。
【００１８】
カバー部材３０の内面中間部には下縁寄りの位置に、カバー部材３０の内面と横枠部材２０の外面とを連結する連結部材４０を組付ける係合溝３１が一体に成形してある。係合溝３１はカバー部材３０の内面から室内側へ向けて断面円弧状に突出する上下一対の溝側壁により形成され、室内側へ向けて開口し、開口幅を断面円形の溝径よりも狭くした断面ほぼＣ字状をなし、カバー部材の長手方向全長にわたって形成してある。尚、係合溝３１の長手方向端末は開口している。係合溝３１の形成位置は、横枠部材２０の外面の下端部と対向する位置に形成してある。
【００１９】
カバー部材３０の内面と横枠部材２０の外面とを連結する連結部材４０は合成樹脂の板状の長尺成形品で、全長にわたって同一断面形状をなす。連結部材４０は、カバー部材３０の内面の係合溝３１に対応して断面円形をなす丸棒状の基端縁４１と、基端縁４１から室内側へ突出する突出部４２と、突出部４２の先端からほぼ直角に屈曲して延びる当接部４３とからなる。当接部４３は、横枠部材２０の外面と下面とでなす角部に合致する断面ほぼＬ字状で、突出部４２に連なる一方の当接面４３１を横枠部材２０の外面に、他方の当瀬面４３２を横枠部材２０の下面にそれぞれ重合当接させる形状としている。
【００２０】
連結部材４０は、その基端縁４１をカバー部材３０の係合溝３１へ、その長手方向端末開口より挿通して、カバー部材３０に対して長手方向に相対移動可能かつカバー部材３０の幅方向に揺動可能に取付けてある。
【００２１】
横枠部材２０の外面には上縁に沿って、カバー部材３０の上縁の折返フランジに対応するゴムまたは合成樹脂等からなるシール材８２が接着してある。またシール材８２の下方には、カバー部材３０の内面の両突起部５１に対応して、両突起部５１と嵌合する受け部５２が取付けてある。受け部５２は横枠部材２０の外面に沿う合成樹脂の長尺成形品で、上記外面に重ね合わせるベース板５２１と、両突起部５１に対応してベース板５２１から室外側へ突出して先端に両突起部５１の嵌合爪５１１と嵌合可能な上下一対の爪部５２２を備えている。受け部５２はベース板５２１を木ネジ等Ｎにより横枠部材２０の外面に締結して固定してある。
【００２２】
横枠部材２０の外面にカバー部材３０を取付けるには、カバー部材３０の内面に取付けた連結部材４０の当接部４３が若干斜め下方（ガラス戸１Ａの複合枠部の内周側）へ垂れ下がった状態で、カバー部材３０を室外側より横枠部材２０の外面に対向方向に近づけ、連結部材４０を上方へ回動させて当接部４３の他方の当接面４３２を横枠部材２０の下面に合わせ、該下面沿いに押し込むと、両突起部５１が横枠部材２０の受け部５２に押し入れられて、両突起部５１の嵌合爪５１１と受け部５２の両爪部５２２がカバー部材３０の幅方向に嵌合し、カバー部材３０の上縁フランジを横枠部材２０の外面上縁のシール材８２に接合すると同時に、連結部材４０の当接部４３の内角部と横枠部材２０の外面と下面との角部とが合わされ、この状態で、連結部材４０の他方の対向面４３２を横枠部材２０の下面に木ネジ等Ｎにより締結固定する。
【００２３】
図１に示すガラス戸１Ａの下端の横枠部材２１および、図略の左右の縦枠部材へのカバー部材３０の取付けも上述の横枠部材２０へのカバー部材３０の取付けと同様に行われる。下端の横枠部材２１は横枠部材２０に対して上下対象で、カバー部材３０は連結部材４０を上向きにして、以下、上端の横枠部材２０と同様の手順で、連結部材４０の他方の当接面４３２を横枠部材２１の上面に合わせて押し込み、突起部５１と受け部５２を嵌合せしめ、カバー部材３０の下縁フランジを横枠部材２１の外面下縁のシール材８２に接合するとともに、連結部材４０の当接部４３を横枠部材２１の外面と上面との角部に合わせ、対向面４３２を横枠部材２０の上面にネジ締め固定して取付ける。
【００２４】
また、ガラス戸１Ａの図略の左右の縦枠部材の外面をカバー部材で被覆する場合、カバー部材は縦方向に長尺に構成され、連結部材を縦枠部材の外面とガラス板側の縦面（複合枠部の内周面）との角部に固定し、外周側のカバー部材の内面と縦枠部材の外面とを嵌合手段により嵌合する。
【００２５】
各横枠部材２０，２１および各縦枠部材の外面を被覆するカバー部材３０は、各枠部材２０，２１の外面よりガラス戸１Ａの複合枠部の内周側へ張り出すフランジに、室内側より二重構造のガラス板７０が押し当てられ、上記内周側へ張り出すフランジと上記ガラス戸１Ａの複合枠部内に室内側より嵌め込まれた押さえ部材７５とでガラス板７０を挟み付けるように支持する。
【００２６】
本実施形態の枠部材構造によれば、カバー部材３０の係合溝３１に連結部材４０の基端縁４１を挿入しておき、連結部材４０の当接部４３を枠部材２０，２１の角部に合わせて当接部４３の他方の当接面４３２を枠部材２０，２１にネジ締めするとともに、嵌合手段たるカバー部材３０の突起部５１と枠部材２０，２１の受け部５２とを嵌合したので、カバー部材３０をグラツキなく安定に取付けることがき、かつカバー部材３０が枠部材２０，２１から外れることがない。
【００２７】
また、室外側のアルミニウム製のカバー部材３０に直射日光で熱せられて長手方向に伸長したり、外冷気で冷やされて長手方向に収縮して、カバー部材３０と木製の枠部材２０，２１との間で熱伸縮差が生じるが、カバー部材３０と枠部材２０，２１とを連結する連結部材４０の基端縁４１をカバー部材３０の内面の係合溝３１に長手方向に沿って相対摺動可能としたので、これにより上記熱伸縮差が吸収され、かつ、嵌合手段も、カバー部材３０の突起部５１と枠部材２０，２１側の受け部５２とを幅方向に嵌合し、長手方向に沿って相対摺動可能としたので上記熱伸縮差を吸収するので、従来構造のように木製の枠部材２０，２１が傷まない。
【００２８】
更に、連結部材４０をカバー部材３０に対して幅方向に揺動可能に組付けたので、カバー部材３０を枠部材２０，２１に取付ける際、連結部材４０を枠部材２０，２１に対して回避する方向（ガラス戸１Ａの複合枠部の内周側）へ傾けておけば、カバー部材３０を枠部材２０，２１に対向方向に近づけたとき、連結部材４０の当接部４３の先端が枠部材２０，２１の外面に突き当たることがない。よって、連結部材４０を回動せしめて当接部４３を枠部材２０，２１の角部に合わせて押し込むことで容易に嵌合手段５１，５２を嵌合でき、連結部材４０の当接部４３を枠部材２０，２１に締結できるので、カバー部材３０の取付け作業が良好である。
【００２９】
本実施形態では連結部材４０および受け部５２を合成樹脂で構成したので、断熱性が良好である。例えば室外側のカバー部材３０が室外冷気で冷やされても、連結部材４０および受け部５２の断熱性により木製の枠部材２０，２１は冷やされず、枠部材２０，２１の結露を防ぐ。また連結部材４０および受け部５２は合成樹脂に限らず、建造物の防火性を考慮してアルミニウムで構成してもよい。更に、連結部材４０および受け部５２は長尺品に限らず、短尺なものをカバー部材３０の長手方向に所定の間隔をおいて複数設けてもよい。
【００３０】
本実施形態では、嵌合手段としてカバー部材３０に設けた突起部５１の嵌合爪５１１と、枠部材２０，２１の受け部５２の爪とを嵌合させるようにしたが、これに限らず、例えば、図３に示すように、カバー部材３０の内面にリブ状の突起部５１を突設しておく、一方、横枠部材２０の外面に、突起部５１に対応して長手方向に延びる溝状の受け部５２を形成し、突起部５１の先端を受け部内に嵌入すようにしてもよい。更に、図４に示すように、カバー部材３０の上縁に室内側へ屈曲するフランジを設け、該フランジを突起部５１として、単に突起部５１を横枠部材２０の外面に当接せしめるようにしてもよい。この場合、カバー部材３０の連結部材４０の基端縁４１との連結部を中心にグラツキが生じるが、ガラス板７０を嵌め込むことにより、カバー部材３０の下縁が室外側へ押され、突起部５１が横枠部材２０の外面に押し付けられるので、カバー部材３０を安定にできる。また、本発明の複合枠部構造は、ガラス戸に限らず、ガラス戸で開閉する建造物の開口部の開口縁を構成する枠部材に適用してもよい。
【図面の簡単な説明】
【００３１】
【図１】本発明を適用したガラス戸の縦断面図である。
【図２】本発明の要部縦断面図である。
【図３】本発明の他の構造を示す要部縦断面図である。
【図４】本発明の更に他の構造を示す要部縦断面図である。
【符号の説明】
【００３２】
１Ａ，１Ｂ  ガラス戸
２０，２１  横枠部材（枠部材）
３０  カバー部材
３１  係合溝
４０  連結部材
４１  基端部
４３  当接部
５１  突起部（嵌合手段）
５２  受け部（嵌合手段）
【図１】
2007032001.tif 000003
【図２】
2007032001.tif 000004
【図３】
2007032001.tif 000005
【図４】
2007032001.tif 000006